(57)【要約】【課題】導光板の発光面を明暗差なく均一に発光させることができ、かつ、薄型にできるサイドライト型バックライト装置を提供する。【解決手段】本発明のサイドライト型バックライト装置は、背面側を反射面４Ｃとし、表面側を発光面４Ｂとし、１側面を入光面４Ａとし、当該入光面４Ａから光を入光させ、反射面４Ｃにて反射させて発光面４Ｂからその光を出光するように導光する導光板４と、複数個の点光源１が基板２の片面に列設され、当該点光源が導光板の入光面４Ａに近接対向し、基板２の端縁部が導光板４の発光面４Ｂの入光面側端縁部に被さるように配置された光源アセンブリ３と、基板２の端縁部における発光面４Ｂの入光面側端縁部に被さる部分に設置され、入光面４Ａから導光板４に入光した光を反射面４Ｃ方向に反射又は拡散する反射帯体１１とを備えたものである。【選択図】図３
2007214093.tif 000002
【特許請求の範囲】
【請求項１】
背面側を反射面とし、表面側を発光面とし、少なくとも１側面を入光面とし、当該入光面から光を入光させ、前記反射面にて反射させて前記発光面からその光を出光するように導光する導光板と、
複数個の点光源が基板の片面に列設され、当該点光源が前記導光板の入光面に近接対向し、前記基板の端縁部が前記導光板の発光面の入光面側の端縁部に被さるように配置された光源アセンブリと、
前記基板の端縁部における前記発光面の入光面側の端縁部に被さる部分に設置され、前記入光面から導光板に入光した光を前記反射面方向に反射又は拡散する反射帯体とを備えたサイドライト型バックライト装置。
【請求項２】
前記反射帯体は、前記基板の端縁部を前記発光面の入光面側の端縁部に貼着する両面テープであることを特徴とする請求項１に記載のサイドライト型バックライト装置。
【請求項３】
前記反射帯体は、光を反射又は拡散する基薄帯と当該基薄帯の両面に付着させた粘着剤とで成ることを特徴とする請求項１に記載のサイドライト型バックライト装置。
【請求項４】
前記導光板の発光面はプリズム加工面であり、前記反射帯体は正反射面を持つ両面テープであることを特徴とする請求項１に記載のサイドライト型バックライト装置。
【発明の詳細な説明】
【技術分野】
【０００１】
本発明は、液晶表示装置用のサイドライト型バックライト装置に関する。
【背景技術】
【０００２】
従来、薄型が特に要求される液晶表示装置、例えば、ノート型ＰＣ、車載ナビゲーション用テレビ等には、細管の蛍光ランプと導光板、レンズシート、拡散シートなどで構成されるサイドライト型バックライト装置が採用されてきた。ところが、近年、青色ＬＥＤや白色ＬＥＤの性能が向上し、安価に入手できるようになってきたことから、光源として冷陰極蛍光ランプが主流であったサイドライト型バックライト装置にも、このＬＥＤを光源として採用するものが開発されている。―特開２００１−１６０３１２号公報（特許文献１）。このＬＥＤを光源とするサイドライト型バックライト装置は、ＬＥＤの点灯制御回路が簡単であり、また低電力化も期待できるため、将来に大きな需要が期待できる。
【０００３】
ＬＥＤを光源とするサイドライト型バックライト装置の場合、点光源であるＬＥＤを多数個、列をなすように配置してサイドライトとし、この多数個の列設されたＬＥＤからの光を導光板の端面から導入し、導光板内で散乱、拡散させて発光面から液晶パネルに向けて出光させる構成である。
【０００４】
このような構成のサイドライト型バックライト装置の場合、光源がＬＥＤという点光源であるので、ＬＥＤを多数列設しても各ＬＥＤ部分とＬＥＤ間部分とで明暗が生じることが避けられない。そのため、導光板の発光面を明暗差なく均一に発光させる技術の開発が要求されている。
【０００５】
この技術的課題を解決するものとして、特開２００５−２４３５２２号公報（特許文献２）には、導光板の発光面側に、入光面近傍の領域と点光源の上面とを覆うように反射シートを設け、この反射シートの裏面（導光板の発光面と向かい合う面）側に複数の点光源それぞれの位置に対応してその上面を覆うように光分散部を設けたことを特徴とするサイドライト型バックライト装置が記載されている。
【０００６】
しかしながら、この従来のサイドライト型バックライト装置の場合、反射シートとそれに設けた光分散部が点光源と導光板の発光面の端縁部分との両方を覆うように配置しているため、光分散部の厚みにより光源アセンブリと導光板の入光面の部分の厚みが大きくなる問題点があった。
【特許文献１】特開２００１−１６０３１２号公報
【特許文献２】特開２００５−２４３５２２号公報
【発明の開示】
【発明が解決しようとする課題】
【０００７】
本発明は、このような従来の技術的課題に鑑みてなされたもので、導光板の発光面を明暗差なく均一に発光させることができ、かつ、薄型にできるサイドライト型バックライト装置を提供することを目的とする。
【課題を解決するための手段】
【０００８】
請求項１の発明のサイドライト型バックライト装置は、背面側を反射面とし、表面側を発光面とし、少なくとも１側面を入光面とし、当該入光面から光を入光させ、前記反射面にて反射させて前記発光面からその光を出光するように導光する導光板と、複数個の点光源が基板の片面に列設され、当該点光源が前記導光板の入光面に近接対向し、前記基板の端縁部が前記導光板の発光面の入光面側の端縁部に被さるように配置された光源アセンブリと、前記基板の端縁部における前記発光面の入光面側の端縁部に被さる部分に設置され、前記入光面から導光板に入光した光を前記反射面方向に反射又は拡散する反射帯体とを備えたものである。
【０００９】
請求項２の発明は、請求項１のサイドライト型バックライト装置において、前記反射帯体は、前記基板の端縁部を前記発光面の入光面側の端縁部に貼着する両面テープであることを特徴とするものである。
【００１０】
請求項３の発明は、請求項１のサイドライト型バックライト装置において、前記反射帯体は、光を反射又は拡散する基薄帯と当該基薄帯の両面に付着させた粘着剤とで成ることを特徴とするものである。
【００１１】
請求項４の発明は、請求項１のサイドライト型バックライト装置において、前記導光板の発光面はプリズム加工面であり、前記反射帯体は正反射面を持つ両面テープであることを特徴とするものである。
【発明の効果】
【００１２】
本発明によれば、光源アセンブリの基板の端縁部が導光板の発光面の入光面側の端縁部に被さるように配置し、その端縁部同士の被さる部分に、入光面から導光板に入光した光を導光板の反射面方向に反射又は拡散する反射帯体を設置したことで、反射帯体を点光源の上面側にも設ける場合よりも厚みを小さくでき、かつ、導光板の入光面側端縁部において、反射面から反射して来た光や点光源から入って来た光が全反射せずに直接に発光面から出射するのを反射帯体によって再度導光板内へ戻すことができ、導光板の発光面における入光面側の端縁部に明るい輝線が発生するのを効果的に防止でき、導光板の発光面を明暗差なく均一に発光させることができる。
【発明を実施するための最良の形態】
【００１３】
以下、本発明の実施の形態を図に基づいて詳説する。
【００１４】
（第１の実施の形態）図１〜図３を用いて、本発明の第１の実施の形態のサイドライト型バックライト装置について説明する。後述する導光板の入光面に向かう一方向だけに光を出射するようにモールドされた点光源としてのＬＥＤ１を、フレキシブルな基板２の図において下面側に列設して光源アセンブリ３を構成している。この光源アセンブリ３は、平坦な導光板４の入光面４Ａ側の端縁部に配置してある。導光板４の発光面４Ｂ側には光学シート５を配置し、導光板４の反射面４Ｃ側には反射シート６を配置し、これらの全体をフロントフレーム７とバックフレーム８とで構成される筐体に収容することでサイドライト型バックライト装置が組み立てられている。
【００１５】
反射シート６は、導光板４の下面の光反射面４Ｃ、入光面４Ａ以外の導光板端面から発光面３Ｂの方向以外に漏れ出ようとする光を反射させるために設けられている。また光学シート５は、導光板４の上面に放射される光を集光、拡散などさせて発光面４Ｂの明るさを均一にするための光学シート、例えば、拡散シートやレンズシートが３枚程度重ねられている。
【００１６】
光源アセンブリ３の基板２は、比較的肉厚の薄いフレキシブルな基板であり、その下面側の片側の長手方向に多数個のＬＥＤ１が列設してあり、下面側の他側の長手方向に光反射・拡散特性を有する白色両面テープ１１が貼着してある。この白色両面テープ１１は、光反射・拡散特性を有する白色薄帯体を基体とし、その両面に粘着剤を塗りつけたものである。
【００１７】
図２、図３に詳しいように、光源アセンブリ３は、平坦な導光板４の入光面４Ａに近接してその上側に配置し、導光板４の発光面４Ｂのこの入光面４Ａ側の端縁位置に両面テープ１１を貼着させることで固定し、また、ＬＥＤ１の列が入光面４Ａに近接対向させている。このサイドライト型バックライト装置における導光板４と基板２とこの基板２に列設されたＬＥＤ１とは、導光板４の厚みに両面テープ１１の厚みを合わせた寸法がとＬＥＤ１の実装高さとがほぼ一致する配置であり、ＬＥＤ１の光出射方向と導光板４の入光面４Ａとを最小限の空間距離を空けて対向している。このように、導光板４、ＬＥＤ１の実装高さ、両面テープ１１の厚みを調整することでバックライト装置の全体の薄型化が実現できる。
【００１８】
本実施の形態のサイドライト型バックライト装置によれば、光源アセンブリ３の基板２の端縁部が導光板４の発光面４Ｂの入光面４Ａ側の端縁部に被さるように配置し、その端縁部同士の被さる部分に、入光面４Ａから導光板４に入光した光を導光板４の反射面方向に反射する反射・拡散特性を持つ両面テープ１１を設置して基板２と導光板４とを接合したことで、導光板４の入光面４Ａ側端縁部において、反射面４Ｃから反射して来た光やＬＥＤ１から入って来た光１５が全反射せずに直接に発光面４Ｂの端縁部から出射するのを両面テープ１１の反射・拡散特性によって再度導光板４内へ戻すことができ、導光板４の発光面４Ｂにおける入光面４Ａ側の端縁部に明るい輝線が発生するのを効果的に防止でき、導光板４の発光面４Ｂを明暗差なく均一に発光させることができる。しかも、従来例のように反射・拡散特性を持つ反射シートをＬＥＤ１の上面側にも設ける場合よりも厚みを小さくできる。
【００１９】
尚、ここで使用する導光板４は、その反射面４Ｃが発光面４Ｂと平行な平坦面であってもよいが、また発光面４Ｂ側に光を良く反射できるように傾斜面にしても、また屈曲面にしてもよい。また、入光面４Ａは導光板４の少なくとも１側面に形成されるものであり、光源アセンブリ３の形状によりあるいは使用数により、対向２側面、隣接２側面、あるいはそれ以上の側面が入光面とされることもある。これらは、以下の他の実施の形態においても同様である。
【００２０】
（第２の実施の形態）図４に示すように、反射・拡散特性を持つ両面テープ１１については、図１〜図３に示した第１の実施の形態のものよりも幅広の両面テープ１１’にして、導光板４の入光面４Ａ側の端縁部と共にその入光面４ＡとＬＥＤ１との間の空隙の上面をも覆う構成にすることができる。これにより、ＬＥＤ１からの光の漏れをより確実に防ぎ得て、発光面４Ｂの端縁部の輝線の発生をより確実に防ぐことができるようになる。尚、本実施の形態にあって、両面テープ１１’以外の構成については図１〜図３に示した第１の実施の形態と共通である。また、両面テープ１１’は、第１の実施の形態のものと同様、光反射・拡散特性を有する基薄帯体の両面に粘着剤を塗りつけたものである。
【００２１】
（第３の実施の形態）次に、本発明の第３の実施の形態のサイドライト型バックライト装置を図５を用いて説明する。本実施の形態は、導光板４の発光面４Ｂ’がマイクロプリズム面に表面処理されており、これに対応して、光源アセンブリ３の反射帯体には鏡面表面で正反射特性を持つ両面テープ１１”を用いたことを特徴とする。尚、その他の構成については、図１〜図３に示した第１の実施の形態と共通である。また、鏡面表面で正反射特性を持つ両面テープ１１”は、鏡面表面で正反射特性を有する基薄帯体の両面に粘着剤を塗りつけたものである。
【００２２】
本実施の形態の場合、導光板４の発光面４Ｂ’を光拡散特性の大きいマイクロプリズム面とし、光源アセンブリ３の基板２の端縁部が導光板４の発光面４Ｂ’の入光面４Ａ側の端縁部に被さるように配置し、その端縁部同士の被さる部分に、入光面４Ａから導光板４に入光した光を正反射する正反射特性を持つ両面テープ１１”を設置して基板２と導光板４とを接合したことで、導光板４の入光面４Ａ側端縁部において、反射面４Ｃから反射して来た光やＬＥＤ１から入って来た光１５が全反射せずに直接に発光面４Ｂ’の端縁部から出射するのを両面テープ１１”の正反射特性によって再度導光板４内へ正反射することができ、この正反射された光は導光板４の発光面４Ｂ’において拡散されて拡散光となって導光板４内に戻るので、導光板４の発光面４Ｂ’の入光面側端縁部に明るい輝線が発生するのを効果的に防止でき、導光板４の発光面４Ｂ’を明暗差なく均一に発光させることができる。しかも、従来例のように反射・拡散特性を持つ反射シートをＬＥＤ１の上面側にも設ける場合よりも厚みを小さくできる。
【００２３】
尚、本実施の形態にあっても、図４に示した第２の実施の形態のように、正反射特性を持つ両面テープ１１”についてより幅広のものを採用し、導光板４の入光面４Ａ側の端縁部と共にその入光面４ＡとＬＥＤ１との間の空隙の上面をも覆う構成にすることができる。
【図面の簡単な説明】
【００２４】
【図１】本発明の第１の実施の形態のサイドライト型バックライト装置の分解斜視図。
【図２】本発明の第１の実施の形態のサイドライト型バックライト装置における光源アセンブリと導光板の端縁部とを示す一部破断せる斜視図。
【図３】本発明の第１の実施の形態のサイドライト型バックライト装置における一部判断せる拡大断面図。
【図４】本発明の第２の実施の形態のサイドライト型バックライト装置における一部判断せる拡大断面図。
【図５】本発明の第３の実施の形態のサイドライト型バックライト装置における一部判断せる拡大断面図。
【符号の説明】
【００２５】
１  ＬＥＤ
２  基板
３  光源アセンブリ
４  導光板
４Ａ  入光面
４Ｂ，４Ｂ’  発光面
４Ｃ  反射面
１１，１１’，１１”  両面テープ
【図１】
2007214093.tif 000003
【図２】
2007214093.tif 000004
【図３】
2007214093.tif 000005
【図４】
2007214093.tif 000006
【図５】
2007214093.tif 000007